(57)【特許請求の範囲】
【請求項１】
インバータに供給される電流を検知する入力電流検知手段と、前記インバータを構成するスイッチング素子のオン時間を制御するオン時間制御手段と、炊飯時に前記スイッチング素子のオン時間を制御上限値とした状態で内鍋を設置した場合の入力電流以下でかつ取外した場合の入力電流以上とする第１のしきい値と、保温時に内鍋を設置した場合の前記スイッチング素子のオン時間の動作点における入力電流以下でかつ取外した場合における前記動作点におけるオン時間においての入力電流以上とする第２のしきい値とを備え、前記スイッチング素子のオン時間が制御上限値に至るとともに前記入力電流検知手段により検出される入力電流が炊飯時には前記第１のしきい値以下であることを検知した場合、また保温時には前期第２のしきい値以下であることを検知した場合に前記インバータを少なくとも１度は停止させてなる誘導加熱式炊飯器。
【発明の詳細な説明】
【０００１】
【発明の属する技術分野】
本発明は、誘導加熱式炊飯器に関するものである。
【０００２】
【従来の技術】
以下従来の誘導加熱式炊飯器について、図６に基づいて説明する。炊飯器本体１には米と水を収納する内鍋２を設置する。インバータ３により供給される高周波電流を加熱コイル４に通電して高周波磁界を発生することで、内鍋を誘導加熱して炊飯するものである。
【０００３】
【発明が解決しようとする課題】
前記従来の構成の誘導加熱式炊飯器は、炊飯器本体に内鍋を設置して炊飯スイッチを投入後インバータ動作中に内鍋を炊飯器本体より取外した場合に、インバータが動作を継続し不要な高周波磁界を発生させることがあるという課題を有している。
【０００４】
本発明の目的は、炊飯時等のインバータ動作中に、内鍋を炊飯器本体より取外した場合にインバータを停止し不要な高周波磁界を発生させないことである。
【０００５】
【課題を解決するための手段】
本発明は前記従来の課題を解決するもので、インバータに供給される電流を検知する入力電流検知手段と、前記インバータを構成するスイッチング素子のオン時間を制御するオン時間制御手段と、炊飯時に前記スイッチング素子のオン時間を制御上限値とした状態で内鍋を設置した場合の入力電流以下でかつ取外した場合の入力電流以上とする第１のしきい値と、保温時に内鍋を設置した場合の前記スイッチング素子のオン時間の動作点における入力電流以下でかつ取外した場合における前記動作点におけるオン時間においての入力電流以上とする第２のしきい値とを備え、前記スイッチング素子のオン時間が制御上限値に至るとともに前記入力電流検知手段により検出される入力電流が炊飯時には前記第１のしきい値以下であることを検知した場合、また保温時には前期第２のしきい値以下であることを検知した場合に前記インバータを少なくとも１度は停止させてなるものである。
【０００６】
【発明の実施の形態】
請求項１に記載した発明は、鍋を配置した状態とそうでない状態におけるインバータの入力電流を比較等することにより、不要な高周波磁界の発生を効果的に抑制することができるものである。
【０００７】
【実施例】
以下、本発明の実施例について説明する。図１は本実施例の誘導加熱式炊飯器のブロック図である。商用電源５からインバータ３へ供給される電流は入力電流検知手段６で検知する。本実施例では入力電流検知手段６はカレントトランスを用いた回路で構成されている。インバータ３で高周波電流に変換されて加熱コイル４に供給され高周波磁界を発生し内鍋２を誘導加熱して炊飯するものである。本実施例ではインバータ３は図２の回路構成としている。すなわちインバータは整流器２１と、フィルタ２２と、共振コンデンサ２３とスイッチング素子２４からなる１石電圧共振形インバータとしている。スイッチング素子のオン時間を図示しない入力電力制御手段によりオン時間制御手段７を制御することで任意の入力電力に制御できるものである。ここでは入力電流がある値となるようにオン時間を制御して所望の炊飯時入力電流とするものである。ここでスイッチング素子オン時間と入力電流の関係を図３（ａ）に示す。また鍋取外し検知手段８は図示しないマイコンのプログラムにより実現している。鍋取外し検知手段のフローチャートを図４（ａ）に示す。
【０００８】
以下本実施例の動作について図３（ａ）を用いて説明する。炊飯器本体に内鍋設置時は内鍋設置時動作線上の点が動作点となりスイッチング素子オン時間を変化させることで所望の炊飯時入力電流となるように制御する。内鍋を炊飯器本体から取外した場合は内鍋取外し時動作線上の動作点でインバータが動作すると考えられる。内鍋設置時動作線と内鍋取外し時動作線の間には図示しない中間状態の動作線、すなわち炊飯器本体から内鍋を取外しかかっている状態の動作線が炊飯器本体と内鍋との距離に応じて無数に存在する。また、第１のしきい値はスイッチング素子オン時間を制御上限値とした場合の内鍋設置時の動作点すなわちＤ点の入力電流以下でかつ、オン時間を制御上限値とした場合の内鍋を取外した場合の動作点すなわちＥ点の入力電流以上となるよう設定している。
【０００９】
炊飯時は炊飯器本体に内鍋を設置し所望の炊飯時入力電流となる制御をしているため図中Ａ点の動作点でインバータが動作している。そこで内鍋を取外しかけていくと炊飯時入力電流となる制御をしながら内鍋を取外していくにつれ動作点はＢ点へ移していく。Ｂ点はスイッチング素子オン時間の制御上限値であるためオン時間がＢ点以上に大きくなることはなく、内鍋を取外していくにつれＢ点からＣ点へ動作点を移していく。Ｃ点に至った時、スイッチング素子オン時間が制御上限値となりかつ第１のしきい値となることから鍋取外し検知手段が鍋取外しと検知し、インバータ停止手段を駆動することからインバータが停止する。従って本実施例の誘導加熱式炊飯器を使用した場合には、インバータ動作中に鍋を取外すとインバータが停止し、よって不要な高周波磁界を発生させないものである。
【００１０】
また図５のようなブロック構成としたものも考えられる。すなわち、前述の実施例に加えて間欠発振手段１０とソフトスタート手段１１と小物検知手段１２を設けた構成としたものである。また小物検知手段は図示しないマイコンのプログラムにより実現している。小物検知手段のフローチャートを図４（ｂ）に示す。炊飯時にインバータ動作中に内鍋を取外した場合は前述の実施例と同構成同効果である。保温時には保温に必要な平均入力電力とするため間欠発振手段を駆動して例えば１６秒間のうち４秒間インバータを動作させ１２秒間停止させることで入力電力を小さくすることが出来るものである。またインバータ動作開始時にソフトスタート手段を駆動してインバータのスイッチング素子のオン時間を制御下限値から徐々に長くすることによりインバータ起動時においてスイッチング素子を保護できるものである。
【００１１】
本実施例の動作を図３（ｂ）を用いて説明する。内鍋を設置している場合は保温時においてはインバータを動作させると内鍋設置時動作線上に動作点をもちソフトスタート手段の動作によりＦ点から動作を開始し内鍋設置時動作線上を徐々にＧ点へ動作点を移し、所望の保温時入力電流となる制御をしているため図中Ｇ点の動作点でインバータが動作する。やがて間欠発振手段の動作によりインバータは停止し、またＦ点からの動作を繰り返す。ここでインバータ動作中すなわちＧ点を動作点としている時に内鍋を取外しかけていくと保温時入力電流となる制御をしながら内鍋を取外していくにつれ動作点はＨ点へ移していく。内鍋を完全に取外すとＨ点で動作を継続するが、間欠発振手段の動作によりインバータは停止した後、スイッチング素子オン時間は制御下限値より再度インバータを動作させるが内鍋が取外されているため内鍋取外し時動作線上を動作点としＩ点から起動する。Ｉ点より内鍋取外し動作線上をＪ点へとスイッチング素子オン時間を長くしていく。Ｊ点に至った時、スイッチング素子オン時間があるしきい値となりかつ入力電流は第２のしきい値以下であるため小物検知手段により小物検知されインバータ動作を停止する。
【００１２】
従って、炊飯中であっても保温中であってもインバータ動作中に内鍋を取外した場合にはインバータを停止することが可能となり、不要な高周波磁界を発生させないものである。
【００１３】
【発明の効果】
以上のように、請求項１記載の発明によれば、インバータ動作中に鍋を取外した時にインバータを停止させることができる。また、炊飯中のみならず保温中であっても、インバータ動作中に鍋を取外した時にはインバータを停止することができ、不要な高周波磁界を発生させない誘導加熱式炊飯器を提供できるものである。
【図面の簡単な説明】
【図１】  本発明の第１実施例の誘導加熱式炊飯器のブロック図
【図２】  同、誘導加熱式炊飯器の主要部品による回路図
【図３】  （ａ）同、誘導加熱式炊飯器のスイッチング素子のオン時間と入力電流の関係図
（ｂ）本発明の第２実施例の誘導加熱式炊飯器のスイッチング素子のオン時間と入力電流の関係図
【図４】  （ａ）本発明の第１実施例の誘導加熱式炊飯器の鍋取外し検知手段のフローチャート
（ｂ）本発明の第２実施例の誘導加熱式炊飯器の小物検知手段のフローチャート
【図５】  本発明の第２実施例の誘導加熱式炊飯器のブロック図
【図６】  従来の誘導加熱式炊飯器のブロック図
【符号の説明】
１  炊飯器本体
２  内鍋
３  インバータ
４  加熱コイル
６  入力電流検知手段
７  オン時間制御手段
８  鍋取外し検知手段
９  インバータ停止手段
１０  間欠発振手段
１１  ソフトスタート手段
１２  小物検知手段
２４  スイッチング素子
【図１】
0004013373.tif 000002
【図２】
0004013373.tif 000003
【図３】
0004013373.tif 000004
【図４】
0004013373.tif 000005
【図５】
0004013373.tif 000006
【図６】
0004013373.tif 000007